(57)【要約】      （修正有）【課題】固形石けんによる洗浄液を継続的に放出することで、手持ちのブラシに洗剤を付けて洗浄する作業を極めて簡略化することができる洗浄装置を提供する。【解決手段】ホースＳに連結した石けん収納部１０に収納した固形石けんを溶かしながら放水する洗浄装置であり、石けん収納部は屈曲した流水路を備え、屈曲した内部で水流の向きが変わるように構成すると共に、収納した固形石けんが水圧を受けて転がるように構成する。石けん収納部は、ホースを連結して水を注入する注入管１１と、溶解した洗浄液を放出する放出管１２とが平行に配置され、注入管と放出管との間に屈曲連結される溶解管１３を配置し、溶解管内で固形石けんが転がるように構成する。【選択図】図１
0003210262.tif 000002
【実用新案登録請求の範囲】
【請求項１】
ホースに連結した石けん収納部に収納した固形石けんを溶かしながら放水する洗浄装置において、石けん収納部は屈曲した流水路を備え該石けん収納部の屈曲した内部で水流の向きが変わるように構成すると共に、該石けん収納部内に収納した固形石けんが水圧を受けると該固形石けんが転がるように構成したことを特徴とする洗浄装置。
【請求項２】
前記石けん収納部は、前記ホースを連結して前記石けん収納部内に水を注入する注入管と、溶解した洗浄液を前記石けん収納部から放出する放出管とが平行に配置され、これら注入管と放出管との間に屈曲連結される溶解管を配置し、該溶解管内で前記固形石けんが転がるように構成された請求項１記載の洗浄装置。
【請求項３】
前記溶解管は、前記注入管と前記放出管とに直角に連結された平行な一対の縦管と、これら縦杆の間に連結され平面略Ｕ字形状を成すＵ字管とで構成され、前記注入管又は前記放出管の開口部に前記固形石けんを投入する投入口を設けた請求項２記載の洗浄装置。
【考案の詳細な説明】
【技術分野】
【０００１】
本考案は、各種車両、船舶、航空機、家屋の外壁や床面、その他を洗浄する際に、ブラシの先端から洗剤を含んだ水を放出しながら洗浄することが可能な洗浄装置に関するものである。
【背景技術】
【０００２】
洗車用の洗浄装置のように、水と洗浄液とを選択して加圧放水する構造の洗浄機は、例えば特許文献１に記載のごとく多数提案されている。これら水と洗浄液との切り替えは、いずれも複数のポンプを用いたり、電磁弁や逆止弁を用いて管路を切り替えたりすることによって行っている。そのため、この種の洗浄装置には電源やコンプレッサー等を併用する必要があり、洗浄装置自体が極めて複雑な機構になっている。
【０００３】
更に、電源やコンプレッサー等を併用せずに水と洗浄液との切り替えを可能にする洗浄装置が特許文献２に記載されている。この洗浄装置は、蛇口に連結したコックに２本のパイプを連結し、１本のパイプに石けん収納部を設け、この石けん収納部に収納した粉石けんを溶かして放水するものである。
【０００４】
ところが、粉石けんを溶かして放水する洗浄装置では、粉石けんの溶解速度が速いので、石けん収納部に収納した粉石けんが短時間で溶け出ることになる。そのため、常に粉石けんを補充する必要があり、実際の洗浄作業が極めて煩雑になるおそれがある。
【０００５】
また、固形石けんを溶かしながら使用する用具等が特許文献３及び特許文献４に記載されている。これらの用具は、蛇口に設けた石けん収納部に固形洗剤を収納するもので、いずれも蛇口の先に設けた石けん収納部に固形石けんを固定することで、蛇口から出る水で固形石けんを溶かしながら使用するものである。
【先行技術文献】
【特許文献】
【０００６】
【特許文献１】特開２０００-１４５９８６号公報
【特許文献２】実公昭５１‐８７７２号公報
【特許文献３】実開昭５８‐１２４５６０号公報
【特許文献４】特開２００１‐３００４４４号公報
【考案の概要】
【考案が解決しようとする課題】
【０００７】
特許文献１の洗浄装置は、電源やコンプレッサー等を併用する必要があり、洗浄装置自体が極めて複雑な機構になるので、手持ちのブラシに洗剤を付けて洗浄する作業に利用することはコスト状の困難がある。
【０００８】
また、特許文献２の洗浄装置では、粉石けんを頻繁に補充する必要があるので、その都度、洗浄作業を中断しなければならない。したがって、ブラシの先に洗剤を付けて洗う従来の洗浄作業よりも作業能率が落ちる虞がある。
【０００９】
更に、特許文献３や特許文献４のように、蛇口に設けた石けん収納部に固形石けんを収納する用具では、粉石けんに比べて溶解速度を遅くすることは可能になっても、固形石けんを十分に溶解する作用が得られず、洗浄に適した洗浄液を放出することができなくなる不都合がある。
【００１０】
すなわち、石けん収納部に固形石けんを収納し、水道水を流して固形石けんが溶け出すと、溶けた表面が石けん収納部に付着して石けんの位置が固定される。この状態で固形石けんの周囲に水が流れると、石けん表面に水道水に含まれるカルキや鉄分等の成分が付着して固形石けんの溶解が遅くなることが実験で判明している。
【００１１】
しかも、固形石けんの溶解速度を速めるために、石けん収納部に収納する固形石けんのサイズや数を変更したとしても、収納した固形石けんが収納部内で固定してしまうと同じ状況になり十分な溶解速度が得られない。したがって、固形石けんを水道水で溶解する洗浄用具は、洗浄に十分な濃度の洗浄液を継続して放出することはできない構造であった。
【００１２】
この結果、現在、手持ちのブラシに洗剤を付けて洗浄する作業は、洗剤が少なくなった時点で再び洗剤を付けて洗う作業を繰り返すといった旧態依然の煩雑な作業になっている。
【００１３】
そこで本考案は上述の課題を解消すべく案出されたもので、電源やコンプレッサー等を併用しない簡単な構成で、固形石けんによる十分な濃度の洗浄液を継続的に放出することができ、手持ちのブラシに洗剤を付けて洗浄する作業を極めて簡略化することができる洗浄装置の提供を目的とするものである。
【課題を解決するための手段】
【００１４】
本考案の第１の手段は、ホースＳに連結した石けん収納部１０に収納した固形石けんＰを溶かしながら放水する洗浄装置において、
石けん収納部１０は屈曲した流水路を備え該石けん収納部１０の屈曲した内部で水流の向きが変わるように構成すると共に、
石けん収納部１０内に収納した固形石けんＰが水圧を受けると該固形石けんＰが転がるように構成したことにある。
【００１５】
第２の手段の前記石けん収納部１０は、前記ホースＳを連結して前記石けん収納部１０内に水を注入する注入管１１と、溶解した洗浄液を前記石けん収納部１０から放出する放出管１２とが平行に配置され、これら注入管１１と放出管１２との間に屈曲連結される溶解管１３を配置し、該溶解管１３内で前記固形石けんＰが転がるように構成したものである。
【００１６】
第３の手段の前記溶解管１３は、前記注入管１１と前記放出管１２とに直角に連結された平行な一対の縦管１３Ａと、これら縦杆１３Ａの間に連結され平面略Ｕ字形状を成すＵ字管１３Ｂとで構成され、注入管１１又は放出管１２の開口部に前記固形石けんＰを投入する投入口を設けたものである。
【考案の効果】
【００１７】
本考案の請求項１のごとく、石けん収納部１０は屈曲した流水路を備え該石けん収納部１０の屈曲した内部で水流の向きが変わるように構成すると共に、石けん収納部１０内に収納した固形石けんＰが水圧を受けると該固形石けんＰが転がるように構成したことにより、固形石けんＰを使用して洗浄に十分な濃度の洗浄液を継続して放出することが可能になった。この結果、電源やコンプレッサー等を併用しない簡単な構成で、手持ちのブラシに洗剤を付けて洗浄する作業を極めて簡略化することに成功したものである。
【００１８】
また、請求項２のごとく、注入管１１と放出管１２との間に屈曲連結される溶解管１３を配置し、該溶解管１３内で前記固形石けんＰが転がるように構成したことで、固形石けんＰが放出管１２の端部に押圧されて放出管１２が詰まったり、固形石けんＰが一箇所に固定して溶解不良が生じたりする虞を解消している。
【００１９】
更に、請求項３のように、溶解管１３は、前記注入管１１と前記放出管１２とに直角に連結された平行な一対の縦管１３Ａと、これら縦杆１３Ａの間に連結され平面略Ｕ字形状を成すＵ字管１３Ｂとで構成され、注入管１１又は放出管１２の開口部に前記固形石けんＰを投入する投入口を設けたことで、縦管１３Ａを横向きにしてＵ字管１３Ｂを縦で使用することも可能になる。したがって、不使用時間が続くなど収納した固形石けんＰが溶解管１３内に固着してしまった場合でも、Ｕ字管１３Ｂの向きを変えるなどして、固着した固形石けんＰを剥がして再使用することが可能になるものである。
【図面の簡単な説明】
【００２０】
【図１】本考案の使用状態を示す斜視図である。
【図２】本考案の石けん収納部を示す斜視図である。
【図３】本考案の使用状態を示す溶解管の断面図である。
【図４】本考案の石けん収納部に固形石けんを投入する状態を示す斜視図である。
【図５】本考案の他の使用状態を示す斜視図である。
【図６】本考案の他の使用状態を示す斜視図である。
【考案を実施するための形態】
【００２１】
本考案は、ホースＳに連結した石けん収納部１０に収納した固形石けんＰを溶かしながら放水する洗浄装置である。
【００２２】
すなわち、水道等の給水装置に繋いだホースＳに連結される石けん収納部１０を備え、この石けん収納部１０で溶解した石けん水を洗浄ブラシＴ等の先端から放出しながら洗浄するものである。
【００２３】
本考案の石けん収納部１０は、屈曲した流水路をそなえるもので、屈曲した内部で水流の向きが変わるように構成している。また、石けん収納部１０内に収納した固形石けんＰは、水圧を受けると石けん収納部１０の内部で転がるスペースを備えたものである。
【００２４】
図示の石けん収納部１０は、注入管１１、放出管１２、溶解管１３にて構成したものである。注入管１１は、水道の蛇口等に繋げたホースＳを連結する管状の部位で、石けん収納部１０内に水を注入する（図１参照）。一方、放出管１２は、溶解した洗浄液を石けん収納部１０から放出する管状の部位である。これら注入管１１と放出管１２とは平行に配置されている。
【００２５】
図示例では、注入管１１及び放出管１２のホースＳを連結する端部に連結キャップ１１Ａ、１２Ａをネジ止めし、これら連結キャップ１１Ａ、１２Ａにニップル１１Ｂ、１２Ｂを設けている。そしてこのニップル１１Ｂ、１２ＢにホースＳの端部を連結するように構成している（図２参照）。更に、石けん収納部１０内に固形石けんＰを投入する際は、この連結キャップ１１Ａ、１２Ａのいずれかを外すと投入口が形成され、この投入口から、適当な大きさの固形石けんＰを投入するものである（図４参照）。
【００２６】
溶解管１３は、これら注入管１１と放出管１２との間に屈曲した状態で連結される管状部材である（図１参照）。そして、この溶解管１３内で固形石けんＰを投入し、注入管１１から注水すると、屈曲した内部で向きが変わる水流の水圧によって固形石けんＰが溶解管１３内で転がるように構成している（図３参照）。
【００２７】
図示の溶解管１３は、縦管１３ＡとＵ字管１３Ｂとで構成したものである（図２参照）。縦管１３Ａは、注入管１１と前記放出管１２とにそれぞれ直角に連結された一対の管状部材で、平行に配置されている。一方、Ｕ字管１３Ｂは、これら縦杆１３Ａの間に連結され平面略Ｕ字形状を成す管状部材である。
【００２８】
このように、縦管１３Ａを平行に設けることで、仮に、Ｕ字管１３Ｂ内で固形石けんＰが一定部分に止まったとしても、この縦管１３Ａを水平にするなどして石けん収納部１０の向きを変えることで、Ｕ字管１３Ｂ内の固形石けんＰを強制的に転がすことができる（図５参照）。
【００２９】
また、石けん収納部１０に長時間通水しないと、表面が溶けた固形石けんＰがＵ字管１３Ｂ内部に固着することもある。この場合、石けん収納部１０の向きを変えて振動を与えるなどすると、固着した固形石けんＰを剥がして再びＵ字管１３Ｂ内で転がすことが可能になる（図６参照）。
【００３０】
尚、図示の各構成は、本考案の一実施例に過ぎず、石けん収納部１０は丸パイプ状の他、角パイプ状や箱体内部に屈曲した流水路を形成して構成することも可能であり、本考案の要旨を変更しない範囲での構成の変更は自由である。
【符号の説明】
【００３１】
Ｐ  固形石けん
Ｓ  ホース
Ｔ  洗浄ブラシ
１０  石けん収納部
１１  注入管
１１Ａ  連結キャップ
１１Ｂ  ニップル
１２  放出管
１２Ａ連結キャップ
１３  溶解管
１３Ａ  縦管
１３Ｂ  Ｕ字管
【図１】
0003210262.tif 000003
【図２】
0003210262.tif 000004
【図３】
0003210262.tif 000005
【図４】
0003210262.tif 000006
【図５】
0003210262.tif 000007
【図６】
0003210262.tif 000008